(57)【要約】【課題】  車両における乗り心地を確保しつつ、最伸長時もしくは最収縮時の衝撃を確実に緩和可能な緩衝器を提供することである。【解決手段】  シリンダ１と、シリンダ１内に二つの圧力室Ｒ１，Ｒ２を区画するピストンを備えた緩衝器において、少なくとも一方の圧力室Ｒ１内に蛇腹部材５が収納されてなり、該蛇腹部材５は、最伸長時もしくは最収縮時にピストン２の移動によって折畳まれる筒状の蛇腹部６と、蛇腹部６に設けられ蛇腹部材５内外を連通する少なくとも１つ以上の流路を備え、圧縮に伴い減衰作用を呈することを特徴とする。【選択図】        図１
2006144807.tif 000002
【特許請求の範囲】
【請求項１】
シリンダと、シリンダ内に二つの圧力室を区画するピストンを備えた緩衝器において、二つの圧力室のうち一方あるいは他方あるいはその両方に蛇腹部材が収納されてなり、該蛇腹部材は、最伸長時もしくは最収縮時にピストンの移動によって折畳まれる筒状の蛇腹部と、蛇腹部に設けられ蛇腹部材内外を連通する少なくとも１つ以上の流路を備え、圧縮に伴い減衰作用を呈することを特徴とする緩衝器。
【請求項２】
上記流路における流路面積が、該蛇腹部材の圧縮に伴い漸減されることを特徴とする請求項１に記載の緩衝器。
【請求項３】
一方の圧力室と気室あるいはリザーバとを隔成する隔壁部材をシリンダ内に設け、蛇腹部材は、圧縮時に蛇腹部の開口端部を上記隔壁部材に当接させて圧力室を蛇腹部材内外に区画することを特徴とする請求項１または２に記載の緩衝器。
【請求項４】
蛇腹部材は、蛇腹部から延設されピストンの先端に連結される連結部を備えてなることを特徴とする請求項１から３のいずれかに記載の緩衝器。
【請求項５】
蛇腹部材は、蛇腹部から延設されピストンに対向する対向部を備え、該対向部に開口を設けたことを特徴とする請求項１から３のいずれかに記載の緩衝器。
【請求項６】
対向部の開口に挿通可能なロッド部をピストンの先端から突出させて設けたことを特徴とする請求項５に記載の緩衝器。
【請求項７】
蛇腹部材は、ピストンの一端に連結されたピストンロッドの外周側に取付けられることを特徴とする請求項１または２に記載の緩衝器。
【発明の詳細な説明】
【技術分野】
【０００１】
この発明は、緩衝器に関する。
【背景技術】
【０００２】
この種緩衝器にあっては、最圧縮時や最伸長時における衝撃を吸収するために、ピストンロッドの外周にバンプクッションを設けたり、シリンダ内にリバウンドスプリングを設けたりしたものが知られている（たとえば、特許文献１，２参照）。
【０００３】
そして、このバンプクッションは、筒状のゴム材からなる基部と、筒状のウレタン樹脂材からなる先部とからなり、緩衝器の最圧縮時には、異なる撓み特性を備えた基部と先部で緩やかな衝撃吸収を可能として、車両における乗り心地を実現するとしている。
【０００４】
他方、リバウンドスプリングは、ロッドガイドとピストンとの間に介装されたコイルスプリングからなり、緩衝器の最伸長時に、リバウンドスプリングが圧縮せしめられピストンの運動エネルギを弾性エネルギに変換することで衝撃吸収し、車両における乗り心地を向上するとしている。
【特許文献１】特開２００３−１６６５８６号公報（段落番号００１６，図１）
【特許文献２】特開２００１−１９３７８２号公報（段落番号００２２から段落番号００２５まで，図２）
【発明の開示】
【発明が解決しようとする課題】
【０００５】
しかしながら、上記した従来の最伸長時或いは最圧縮時の衝撃緩和に用いられるバンプクッションやリバウンドスプリングにあっては、機能上特に問題があるわけではないが、以下の不具合を指摘される恐れがある。
【０００６】
すなわち、上記バンプクッションやリバウンドスプリングは、緩衝器が伸長もしくは収縮すると圧縮されることとなるので、このような状況下にあっては緩衝器が発生する力は、油圧利用、すなわち、圧力室の圧力差とピストンの一方の面と他方の面の面積差との関係によって生じる力と、上記したバネ反力とを合計したものとなる。
【０００７】
そして、通常、バンプクッションやリバウンドスプリングによるバネ反力は、圧縮に対し略線形で、最収縮時もしくは最伸長時に最圧縮されてそれ以上の圧縮が不能となって弾性変形しえなくなるので運動エネルギを弾性エネルギとして蓄積し得なくなり、最終的には緩衝器の伸長や収縮が急激に停止されることになり衝撃を緩和しきれない場合がある。
【０００８】
また、上記不具合を解消しようと、バンプクッションやリバウンドスプリングのバネ定数を大きくすると、圧縮時に大きな反力を発生することになるので、ゴツゴツとした乗り心地となって、車両の乗員に不快感を感じさせてしまうこととなる。
【０００９】
そこで、本発明は上記の弊害を改善するために創案されたものであって、その目的とするところは、車両における乗り心地を確保しつつ、最伸長時もしくは最収縮時の衝撃を確実に緩和可能な緩衝器を提供することである。
【課題を解決するための手段】
【００１０】
上記した目的を達成するために、本発明の課題解決手段は、シリンダと、シリンダ内に二つの圧力室を区画するピストンを備えた緩衝器において、少なくとも一方の圧力室内に蛇腹部材が収納されてなり、該蛇腹部材は、最伸長時もしくは最収縮時にピストンの移動によって折畳まれる筒状の蛇腹部と、蛇腹部に設けられ蛇腹部材内外を連通する少なくとも１つ以上の流路を備え、圧縮に伴い減衰作用を呈することを特徴とする。
【発明の効果】
【００１１】
本発明によれば、従来緩衝器のようにバネを利用したものに比較して油圧を利用しているので、該減衰力は蛇腹部材の圧縮に対して線形とならず圧縮初期には比較的小さく圧縮終期にはバネ利用よりも大きな力を得ることができる。
【００１２】
したがって、従来緩衝器のように最圧縮時にバネが弾性変形し得ない状態となって衝撃を緩和できない状態、すなわち、緩衝器の収縮或いは伸長が急激に停止されるような状態となることを回避して、緩衝器の最圧縮時あるいは最伸長時或いはその両方の衝撃を確実に緩和できるとともに、ゴツゴツとした乗り心地となって、車両の乗員に不快感を感じさせてしまうこともない、つまり、車両における乗り心地を損なうこともない。
【００１３】
また、緩衝器内に蛇腹部材を設けることでバンプクッションの機能を発現できるから、従来緩衝器にようにピストンロッドの外周にバンプクションを別途も受ける必要がなくなり、その分緩衝器を小型化することができるメリットもある。
【発明を実施するための最良の形態】
【００１４】
以下に、図示した実施の形態に基づいて、この発明を説明する。図１は、第１の実施の形態における緩衝器の一部縦断面図である。図２は、蛇腹部材が最圧縮された状態におけるに第１の実施の形態の緩衝器の一部縦断面図である。図３は、第２の実施の形態における緩衝器の一部縦断面図である。図４は、第３の実施の形態における緩衝器の一部縦断面図である。
【００１５】
第１の実施の形態における緩衝器は、図１に示すように、シリンダ１と、シリンダ１内に一方の圧力室Ｒ１と他方の圧力室Ｒ２とを区画する環状のピストン２と、ピストン２に連結されるピストンロッド３と、一方の圧力室Ｒ１と気室Ｇとを隔成する隔壁部材たるフリーピストン４と、一方の圧力室Ｒ１内に収納された蛇腹部材５とを備えて構成されている。
【００１６】
なお、詳しく図示はしないが、シリンダ１の図１中上端内周側には、ピストンロッド３を摺動自在に軸支するロッドガイドが圧入やシリンダ１の上端開口部をカシメる等して固定されている。
【００１７】
さらに、上記各圧力室Ｒ１，Ｒ２内には、作動油等の液体が充填され、また、ピストン２には、上記各圧力室Ｒ１，Ｒ２を互いに連通するポート２１，２１が開口され、上記ポート２１の出口端たる図１中下端開口部は積層リーフバルブ２２で閉塞され、さらに、図示はしないが、上記各圧力室Ｒ１，Ｒ２を互いに連通する他のポートが開口され、該ポートの出口端はピストン２の図１中上面に積層される積層リーフバルブ２３によって閉塞される。
【００１８】
転じて、蛇腹部材５は、図１中徐々に拡径する筒状に成形された蛇腹部６と、該蛇腹部６の図１中上端から延設されるドーナツ板状の連結部７と、蛇腹部６に設けた複数の通孔８とで構成され、詳しくは、通孔８は、蛇腹部６の谷ａと山ｂとを繋ぐ壁のうち１つおきの壁に複数個設けられているが、全ての壁に設けるとしてもよい。
【００１９】
なお、蛇腹部材５は、ゴムや樹脂材料で形成されても、金属で形成されてもよい。
【００２０】
また、ピストンロッド３の先端には、図１中上から順にバルブストッパ１０、間座１１、積層リーフバルブ２３、ピストン２、積層リーフバルブ２２、間座１２、蛇腹部材５の連結部７が挿入され、ピストンナット１３をピストンロッド３の先端に螺着し、これら上記各部材がピストンロッド３の段部３１とピストンナット１３とで挟持されることでピストンロッド３の先端に固定されている。
【００２１】
すなわち、蛇腹部材５は、ピストン２に連結され、ピストン２と共に移動することが可能なようになっており、フリーピストン４に対しては、緩衝器が収縮すると、蛇腹部６の下端開口端が当接するようになっている。
【００２２】
緩衝器は、上記したように構成され、つづいてこの緩衝器の作用について説明すると、緩衝器が伸長状態から収縮すると、ピストン２がシリンダ１に対し下降し、一方の圧力室Ｒ１内の作動油は積層リーフバルブ２３を押し開いて他方の圧力室Ｒ２へ移動し、ピストンロッド３がシリンダ１内に侵入する体積分の作動油量はフリーピストン４が図１中下降して気室Ｇを圧縮することで補償される。
【００２３】
そして、緩衝器は、積層リーフバルブ２３通過時に生じる圧力損失に見合った減衰力を発生し、また、ピストン２の下降速度よりフリーピストン４の下降速度が遅いため、やがては、図１に示すがごとくに、蛇腹部材５における蛇腹部６の下端開口端部がフリーピストン４に当接する。
【００２４】
このとき、蛇腹部材５は、一方の圧力室Ｒ１内は、蛇腹部材５内と蛇腹部材５外とに通孔８による連通状態化に隔成されることになる。
【００２５】
この状態で、さらに、緩衝器が収縮していくと、蛇腹部材５が圧縮されて蛇腹部材５内の容積が減少するので、蛇腹部材５内の作動油は上記した複数の通孔８を介して蛇腹部材５外に流出するが、この通孔８を通過する時に圧力損失が生じて、ピストン２の下降に対向する力が発生し、この力はピストン２の下降速度を減少せしめる用に作用する。すなわち、緩衝器全体として見たときには、蛇腹部材５は減衰作用を呈することになる。
【００２６】
引き続き緩衝器が収縮すると、蛇腹部材５の蛇腹部６はしだいに折畳まれ、蛇腹部６における壁同士が接近し、蛇腹部材５内の作動油は、通孔８を通過後、壁同士の隙間を通過して、蛇腹部材５外へ流出することとなるが、上記壁同士の隙間は、蛇腹部材５の圧縮が進むにつれ徐々に狭くなることから、作動油が通過可能な流路面積は、上記隙間が狭くなるにつれ漸減する、すなわち、蛇腹部材５の圧縮に伴い流路面積が漸減することになる。
【００２７】
つまり、蛇腹部材５の圧縮が進むにつれてピストン２の下降を妨げる方向の力が徐々に大きくなるが、従来緩衝器のようにバネを利用したものに比較して油圧を利用しているので、減衰力として作用する力は蛇腹部材５の圧縮に対して線形とならず圧縮初期には比較的小さく圧縮終期にはバネ利用よりも大きな力を得ることができる。
【００２８】
したがって、従来緩衝器のように最圧縮時にバネが弾性変形し得ない状態となって衝撃を緩和できない状態、すなわち、緩衝器の収縮が急激に停止されるような状態となることを回避して、緩衝器の最圧縮時の衝撃を確実に緩和できる。
【００２９】
また、蛇腹部材５の圧縮が進むにつれてピストン２の下降を妨げる方向の力が徐々に大きくなるので、ゴツゴツとした乗り心地となって、車両の乗員に不快感を感じさせてしまうこともない、つまり、車両における乗り心地を損なうこともない。
【００３０】
そして、さらに、緩衝器が収縮して最収縮状態となった場合、蛇腹部材５は、図２に示すように、最圧縮状態となって蛇腹部６は壁同士が当接して折畳まれ、通孔８は閉塞される。
【００３１】
すると、この状態では蛇腹部材５の内外は隔絶された状態となって、蛇腹部材５内の作動油は、移動しえなくなるので、ピストン２のそれ以上の下降不能とし、蛇腹部材５は最圧縮状態時には、いわゆるオイルロックとして作用する。
【００３２】
したがって、ピストン２の先端やピストンロッド３の先端がフリーピストン４に干渉することはなく、フリーピストン４を傷めることもないので、緩衝器の機能劣化が防止される。
【００３３】
また、上述のように蛇腹部材５で発生する減衰力は、圧縮に伴いしだいに大きくなり、やがてオイルロックに至るようになっているので、このようなオイルロック時にあっても緩衝器の衝撃を確実に緩和でき、車両における乗り心地を向上することが可能となる。
【００３４】
さらに、緩衝器が最収縮状態から伸長に転じる際には、蛇腹部材５の壁同士が離れて隙間が生じるので、オイルロックが解かれ、通孔８および上記壁同士の隙間を介して蛇腹部材５内外を作動油が流通することとなる。この状態では、蛇腹部材５は減衰力を発生する状態であり、伸長初期の急激なリバウンドを抑制することができ、これにより従来緩衝器にある蓄積された弾性エネルギを一気に開放するような急激な挙動を防止可能であり、この点でも車両における乗り心地を向上することができる。
【００３５】
さらに緩衝器が伸長して蛇腹部材５がピストン２の上昇に伴って図１中上方へ移動すると、蛇腹部６の下端開口部がフリーピストン４から離れて下端開口部をも介して作動油が流通するようになり、蛇腹部材５は殆ど減衰力を発生することはなくなる。
【００３６】
したがって、伸長初期の急激なリバウンドを抑制するのみで、それ以外に緩衝器の伸長を妨げることはなく、緩衝器の伸長行程時の減衰力に影響を与えることはない。
【００３７】
そして、この緩衝器の場合、緩衝器内に蛇腹部材を設けることでバンプクッションの機能を発現できるから、従来緩衝器にようにピストンロッドの外周にバンプクションを別途も受ける必要がなくなり、その分緩衝器を小型化することができるメリットもある。
【００３８】
なお、上述のように蛇腹部材５で発生する減衰力は、通孔８の面積、形状、通孔８の数によって調整することができ、緩衝器の仕様に併せて適当となるように調整すればよい。
【００３９】
つづいて、第２の実施の形態における緩衝器について説明する。第２の実施の形態における緩衝器にあっては、第１の実施の形態において蛇腹部材５がピストン２にピストンロッド３を介して連結されていたが、図３に示すように第２の実施の形態における蛇腹部材１５はピストン２に連結されていない点で異なる。
【００４０】
以下、第１の実施の形態と同様の部分については、同様の符号を付するのみとして説明を省略することとし、第２の実施の形態特有の部分についてのみ詳細に説明することとする。
【００４１】
上述のように、第２の実施の形態において蛇腹部材１５は、図３中徐々に拡径する筒状に成形された蛇腹部１６と、該蛇腹部１６の図３中上端から延設されピストン２に対向するドーナツ板状の対向部１７と、蛇腹部１６に設けた複数の通孔８とで構成されている。
【００４２】
他方、ピストン２は、やはり、積層リーフバルブ２２，２３、ストッパ１０、間座１１と一緒にピストンロッド３の先端に挿入され、ピストンナット３に螺着されるピストンナット１３で固定されている。
【００４３】
そして、蛇腹部材１５の対向部１７の開口径は、ピストンナット１３が挿入可能なように設定され、緩衝器が収縮して、ピストンナット１３のフランジ部２３が蛇腹部材１５の対向部１７に当接した際、ピストンナット１３の略全体が蛇腹部材２０内に没入されるようになっている。
【００４４】
したがって、このピストンナット１３およびピストンロッド３の先端でピストン２の先端から突出させて設けたロッド部が形成されている。
【００４５】
そして、緩衝器が収縮して、該ピストンナット１３が蛇腹部材１５内に没入すると、一方の圧力室Ｒ１内は、蛇腹部材１５によって、蛇腹部材１５内と蛇腹部材１５外とに通孔８による連通状態化に隔成されることになる。
【００４６】
さらに、緩衝器が収縮すると、蛇腹部１６の壁同士の隙間が狭くなるので、第１の実施の形態の緩衝器と同様に、蛇腹部材１５は、圧縮に伴って徐々に大きくなるように減衰力を発生する。
【００４７】
したがって、その作用効果は、基本的には、第１の実施の形態における緩衝器と同様である。
【００４８】
なお、緩衝器が伸長に転じる際、蛇腹部材１５がピストン２に連結されていないので、オイルロック状態から、ロッド部であるピストンナット１３が蛇腹部材１５の対向部１７から抜け出るまでの緩衝器の伸長初期までは、蛇腹部材１５によって蛇腹部材１５内外が隔成されている状態となるので減衰力を発生し伸長初期の急激なリバウンドを抑制するが、第１の実施の形態に比較して、伸長時に減衰力を発生している期間はピストン２の上昇速度が同じ場合には短くなり伸長行程にある緩衝器が発生する減衰力への影響をさらに軽微にすることが可能である。
【００４９】
なお、ピストン２の先端から突出するロッド部をピストンナット１３以外のもので構成してもよく、また、ロッド部を設けずに、ピストン２等が対向部１７と当接する際に、対向部１７の開口内に何等挿入されることがなくても、緩衝器の最収縮時の衝撃を緩和することができるが、ロッド部を設けるほうが蛇腹部材内外を確実に区画できる点で有利であると共に、ロッド部が無いとピストン２が対向部１７から離れると開口から作動油が蛇腹部材１５内外を流通するので緩衝器の伸長初期の急激なリバウンドを抑制することができなくなるのでこの点でもロッド部を設ける意義がある。
【００５０】
ちなみに、この実施の形態にあっては、蛇腹部材１５における蛇腹部２１の下端開口端をフリーピストン４に結合して一体的に成形するとしてもよく、蛇腹部材１５とフリーピストン４を同一材料で形成する場合には、フリーピストン４と一緒に製造することができるので、加工上有利となる。
【００５１】
また、上記したところでは、気室Ｇはフリーピストン４で隔成されているが、隔壁部材をベローズやブラダ等で隔成されても構わない。
【００５２】
さらに、上記実施の形態では、蛇腹部材の下端が当接する隔壁部材はフリーピストン４であるが、これが、リザーバと一方の圧力室Ｒ１とを区画するベースバルブのバルブボディ等であっても、本発明の効果は失われない。
【００５３】
最後に、図４に示す第３の実施の形態における緩衝器について説明する。第３の実施の形態における緩衝器にあっては、第１の実施の形態における蛇腹部材５が上下逆してピストンロッド３の外周側に取付けられている。したがって、この実施の形態の場合、蛇腹部材５は他方の圧力室Ｒ２内に収納されている。
【００５４】
すなわち、蛇腹部材５は、ピストンロッド３の段部３１とバルブストッパ１０との間に蛇腹部材５における連結部７を介装して、ピストンロッド３に取付けてあり、結果的にピストン２に連結されている。
【００５５】
したがって、この場合には、緩衝器が伸長する際に、蛇腹部材５は、蛇腹部６の上端開口端をシリンダ１の上端内周に固定のロッドガイド２５の図４中下面に当接させることで、他方の圧力室Ｒ２を蛇腹部材５内外に区画することとなる。
【００５６】
すると、この実施の形態の場合、蛇腹部材５は、リバウンドスプリングと同様の機能を果たすこととなるが、やはり、緩衝器の伸長が進むにつれて、圧縮が進行し、この圧縮の進行に伴い徐々にピストン２の上昇を妨げる力は大きくなる、すなわち、蛇腹部材５が発生する減衰力は圧縮にともなって徐々に大きくなる。
【００５７】
したがって、この第３の実施の携帯の緩衝器あっては、減衰力として作用する力は蛇腹部材５の圧縮に対して線形とならず圧縮初期には比較的小さく圧縮終期にはバネ利用よりも大きな力を得ることができる。
【００５８】
したがって、従来緩衝器のように最伸長時にバネが弾性変形し得ない状態となって衝撃を緩和できない状態、すなわち、緩衝器の伸長が急激に停止されるような状態となることを回避して、緩衝器の最圧縮時の衝撃を確実に緩和できる。
【００５９】
また、蛇腹部材５の圧縮が進むにつれてピストン２の下降を妨げる方向の力が徐々に大きくなるので、ゴツゴツとした乗り心地となって、車両の乗員に不快感を感じさせてしまうこともない、つまり、車両における乗り心地を損なうこともない。
【００６０】
そして、さらに、緩衝器が伸長して最伸長状態となった場合、蛇腹部材５は、最圧縮状態となって蛇腹部６は壁同士が当接して折畳まれ、通孔８は閉塞される。
【００６１】
すると、この状態では蛇腹部材５の内外は隔絶された状態となって、蛇腹部材５内の作動油は、移動しえなくなるので、ピストン２のそれ以上の上昇不能とし、蛇腹部材５は最圧縮状態時には、いわゆるオイルロックとして作用する。
【００６２】
また、上述のように蛇腹部材５で発生する減衰力は、圧縮に伴いしだいに大きくなり、やがてオイルロックに至るようになっているので、このようなオイルロック時にあっても緩衝器の衝撃を確実に緩和でき、車両における乗り心地を向上することが可能となる。
【００６３】
さらに、緩衝器が最伸長状態から収縮に転じる際には、蛇腹部材５の壁同士が離れて隙間が生じるので、オイルロックが解かれ、通孔８および上記壁同士の隙間を介して蛇腹部材５内外を作動油が流通することとなる。この状態では、蛇腹部材５は減衰力を発生する状態であり、収縮初期の急激なバンプを抑制することができ、これにより従来緩衝器にある蓄積された弾性エネルギを一気に開放するような急激な挙動を防止可能であり、この点でも車両における乗り心地を向上することができる。
【００６４】
さらに緩衝器が収縮して蛇腹部材５がピストン２の下降に伴って図４中下方へ移動すると、蛇腹部６の下端開口部がロッドガイド２５から離れて上端開口部をも介して作動油が流通するようになり、蛇腹部材５は殆ど減衰力を発生することはなくなる。
【００６５】
したがって、収縮初期の急激なバンプを抑制するのみで、それ以外に緩衝器の収縮を妨げることはなく、緩衝器の収縮行程時の減衰力に影響を与えることはない。
【００６６】
また、この実施の形態では、ピストン２に蛇腹部材５を連結するとしているが、第２の実施の形態における蛇腹部材１５のように、対向部１７をピストン２あるいはバルブストッパ１０に当接させるようにしておき、対向部１７の開口径をピストンロッド３の直径より大きく設定しておくとしても、第３の実施の形態における緩衝器と同様の作用効果を得ることができる。
【００６７】
なお、上記した各実施の形態において蛇腹部材の蛇腹部の壁に通孔を設けるとしているが、山や谷の部位に通孔を設けるとしても、蛇腹部材は減衰力を発生することができる。ただし、壁に通孔を設けるほうが最圧縮されて折畳まれた際に壁で通孔を塞いでオイルロック作用を確実に発現させることができる点で有利となる。
【００６８】
また、蛇腹部材を一方の圧力室Ｒ１内のみならず他方の圧力室Ｒ２内に収納してバンプとリバウンド双方の衝撃の緩和を図るとしても差し支えない。
【００６９】
以上で、本発明の実施の形態についての説明を終えるが、本発明の範囲は図示されまたは説明された詳細そのものには限定されないことは勿論である。
【図面の簡単な説明】
【００７０】
【図１】第１の実施の形態における緩衝器の一部縦断面図である。
【図２】蛇腹部材が最圧縮された状態におけるに第１の実施の形態の緩衝器の一部縦断面図である。
【図３】第２の実施の形態における緩衝器の一部縦断面図である。
【図４】第３の実施の形態における緩衝器の一部縦断面図である。
【符号の説明】
【００７１】
１  シリンダ
２  ピストン
３  ピストンロッド
４  隔壁部材たるフリーピストン
５，１５  蛇腹部材
６，１７  蛇腹部
７  連結部
８  通孔
１０  バルブストッパ
１１，１２  間座
１３  ピストンナット
１６  対向部
２１  ポート
２２，２３  積層リーフバルブ
２５  ロッドガイド
３１  段部
ａ  蛇腹部における谷
ｂ  蛇腹部における山
Ｇ  気室
Ｒ１  一方の圧力室
Ｒ２  他方の圧力室
【図１】
2006144807.tif 000003
【図２】
2006144807.tif 000004
【図３】
2006144807.tif 000005
【図４】
2006144807.tif 000006